(57)【特許請求の範囲】
【請求項１】
ａ）  水平面内で硬く、薄い支持体の一面上に画像受容表面を形成し；
ｂ）  画像受容表面内又は上に画素セルのカラー化されたパターンを形成するために色素を転写し；
ｃ）  薄く硬い支持体と実質的に同じ熱膨張特性を有する硬い透明支持体の表面に、画素セルのカラー化されたパターンを有する薄く硬い支持体の塗布された表面又は薄く硬い支持体の他の表面のいずれかをラミネートし、それによりカラーフィルタアレイ要素を形成する
各段階を有する、色素転写によりカラーフィルタアレイ要素を製造する方法。
【請求項２】
ａ）  水平面内で硬く、薄い支持体の一面上に画像受容表面を塗布し；
ｂ）  色素ドナーシートから薄く硬い支持体上の画像受容層内又は上に画素セルのカラー化されたパターンを熱的に転写し；
ｃ）  薄く硬い支持体と実質的に同じ熱膨張特性を有する硬い透明支持体の表面に、画素セルのカラー化されたパターンを有する薄く硬い支持体の塗布された表面又は薄く硬い支持体の他の表面のいずれかをラミネートし、それによりカラーフィルタアレイ要素を形成する
各段階を有する、色素転写によりカラーフィルタアレイ要素を製造する方法。
【発明の詳細な説明】
【０００１】
関連する出願の相互参照
Ｃｈａｒｌｅｓ  ＤｅＢｏｅｒ等による１９９５年４月２６日出願の米国特許出願０８／４２８４６９、「Ｃｏｌｏｒ  Ｆｉｌｔｅｒ  Ａｒｒａｙｓ  Ｂｙ  Ｓｔｅｎｃｉｌ  Ｐｒｉｎｔｉｎｇ」及びＣｈａｒｌｅｓ  ＤｅＢｏｅｒ等による１９９５年８月２２日出願の米国特許出願６０／００２６５７、「Ｍｅｔｈｏｄ  ｏｆ  Ｍａｋｉｎｇ  Ａ  Ｃｏｌｏｒ  Ｆｉｌｔｅｒ  Ａｒｒａｙｓ  ＢｙＬａｍｉｎａｔｉｏｎ  Ｔｒａｎｓｆｅｒ」を参考として引用する。
【０００２】
【発明の属する技術分野】
本発明は色素転写及びラミネーションによりカラーフィルタ配列を形成する方法に関する。
【０００３】
【従来の技術】
カラーフィルタ配列要素は液晶表示装置のような種々の表示装置で用いられ得る。カラー表示可能な液晶表示装置で用いられてきたカラーフィルタ配列要素のある市販の型はその上にゼラチン層を有する透明な支持体であり、それは写真技術により得られたモザイクパターンの加色混合の原色である赤、緑、青を有する染料を含む。その様なカラーフィルタ配列要素を調製するためにゼラチン層は感光性を与えられ、モザイクパターンの色の一つに対するマスクへ露出され、露出された領域のゼラチンを硬化するよう現像され、露出されない（架橋されない）ゼラチンを除去するために洗浄され、斯くして所望の色の染料で染色されたゼラチンのパターンが作られる。その要素は他の２つの色を得るために再塗布され、上記の段階が繰り返される。カラー材料の誤り配列又は不適切な堆積がこれらの操作のどの間にでも生じうる。故にこの方法は注意深い配列を要求される労働力集約的な段階を含み、時間消費型で、非常にコストがかかる。この処理の更なる詳細は米国特許第４０８１２７７号に記載される。
【０００４】
カラー液晶表示装置は一般に液晶材料で満たされた密封された空洞を画成する２つの離間されたガラスパネルを含む。能動的駆動デバイスに対して透明電極が一つのガラスパネルの上に形成され、この電極はパターン化され又はパターン化されず、一方でそれぞれのアドレス可能な電極は他方のガラスパネル上に形成される。それぞれの電極のいずれかは１画像要素又は画素の領域に対応する表面を有する。デバイスがカラー表示可能である場合には各画素は例えばカラーフィルタ配列要素の赤、緑、又は青であるカラー領域で配列されなければならない。表示される画像に依存して１以上の画素電極はその画素に関するカラーフィルター領域を通して全部の光を透過するか、光を透過しないか、或いは部分的な光を透過することを許容するために表示動作中に給電される。使用者により知覚される画像は隣接するカラーフィルタ領域を通した光の透過により形成された色の混合である。
【０００５】
液晶表示装置では典型的に用いられる透明電極はインジウム錫酸化物（ＩＴＯ）である。ＩＴＯは所望の導電性を得るために好ましくは２００゜Ｃ以上から２６０゜Ｃまでの温度で熱硬化されなければならない。しかしながらカラーフィルタ配列要素で一般に用いられる材料は公称１８０゜Ｃ以上の温度で劣化する。故に熱硬化はより低い温度及び／又はより短い時間でなされ、これはＩＴＯの導電性を減少させる。
【０００６】
高品質画像の表示でカラーフィルタ配列要素の品質は非常に重要である。しかしながらその様なカラーフィルタ配列要素のコストは非常に高く、それは液晶表示装置の最もコストの高い部品の一つである。要求される品質をなお維持しながらカラーフィルタ配列要素製造のコストを減少する一つの有力な方法は米国特許第４９２３８６０、４９６５２４２、５２２９２３２号に記載されるような熱色素転写法であり、それらの開示をここに参考として引用する。そこに記載される方法ではカラーフィルタ配列要素はマスク及び高強度フラッシュシステムの使用により染料ドナーから受容体が塗布された支持体に染料を熱転写することによる相対的な数段階で形成される。しかしながら高強度フラッシュは解像度を減少する大きな大きさの画素を作る。更にまたマスクの使用はカラーパターンの設計の柔軟性を制限し、労力集中型で、時間を浪費し、コストが高い。
【０００７】
カラーフィルタ配列要素を形成する従来の方法はマスクの使用をやめ、解像度を改善するために染料ドナーから受容体が塗布された支持体へ染料を転写するのにレーザーを用いる。しかしながら米国特許第４７４３４６３号に記載されるその様な方法はガラスの合成のために「’Ｘ−Ｙ’」座標テーブルの使用を必要とし、それは非常に時間を浪費する。
【０００８】
高画質画像の表示では画素セルが大きさ及び色の両方で高度に均一であることがまた重要である。液晶表示器での特定の妨害的な欠陥は画素の欠落、即ち常に明るい又は常に暗い画素セルである。人間の目は画像内のその様なセルに否応なしに、煩わしく感じるように引きつけられる。その様な欠落画素の原因はしばしばカラーフィルタ配列要素の画素の塗布、パターン化、染色、洗浄の段階中にトラップされたダストの粒子により引き起こされた液晶材料を通る電気的な短絡である。例えば米国特許第４９６５２４２号に記載されるような熱染料転写方法により製造されるカラーフィルタ配列要素は効果的なカラーフィルタ配列要素を提供するが、ダスト粒子は電気的短絡又は画素の欠落を引き起こしうる製造中のカラーフィルタ配列要素の表面上に捕捉されうる。加えてカラーフィルタ配列要素は剥離及び突出を被りやすく、これはまた電気的短絡又は画素欠落を引き起こす。これらのダスト粒子を回避するために、製造段階のほとんど又は全ては典型的には高度にフィルタされた「クリーンルーム」環境で実施される。クリーンルーム内での特別の負担は労力集中型であり、時間を浪費し、非常にコストが高い。
【０００９】
高品質画像の表示はまた液晶表示装置に関する集積された電子部品上のカラーフィルタ配列要素の適切な配列を必要とする。例えば米国特許第４９６５２４２号に記載されるような方法で作られた従来技術のカラーフィルタ配列要素は集積された電子部品と異なる熱膨張特性を有する材料で作られている。異なる温度範囲でカラーフィルタ配列要素の材料はカラーフィルタ配列要素及び集積電子部品の誤り配列を引き起こす異なる熱膨張特性を示し、これは粗悪な品質の表示画像を生ずる。
【００１０】
【発明が解決しようとする課題】
本発明の目的は種々の温度範囲で実質的に同じ寸法を維持するカラーフィルタ配列要素を製造する方法を提供することにある。
本発明の他の目的は解像度の高いカラーフィルタ配列要素を提供することにある。
【００１１】
【課題を解決するための手段】
これらの目的は
ａ）  水平面内で硬く、薄い支持体の一面上に画素セルのカラー化されたパターンを形成し；
ｂ）  薄く硬い支持体と実質的に同じ熱膨張特性を有する硬い透明支持体の表面に画素セルのカラー化されたパターンを有する薄く硬い支持体の表面又は薄く硬い支持体の他の表面のいずれかをラミネーティングし、それによりカラーフィルタ配列要素を形成する
各段階からなるカラーフィルタ配列要素を形成する方法により達成される。
【００１２】
【発明の実施の形態】
図１に対応する部分又は要素に関しては同じ符号を用いる。図１を参照するに本発明による薄く硬い支持体８上に形成されたカラーフィルタ配列要素２の概略図が示される。カラーフィルタ配列要素２は画素に対応する赤（Ｒ）、緑（Ｇ）、青（Ｂ）のカラーセル又は画素セル４を含む。画素セル４は不透明な領域、即ち改善されたカラー再現性を提供し、表示された画像のフレアを減少する黒いグリッドライン６により相互に分離されている。
【００１３】
本発明に関して図１に示すようなカラーフィルタ配列要素２は薄く硬い支持体８上の画素セル４のカラー化されたパターンを作るよう形成される。画素セル４のカラー化されたパターンを作るために、薄く硬い支持体８の表面９は画像受容表面を有する画像受容層を上に塗布される。「薄い」という用語の使用は１０ミクロンから２５０ミクロンの範囲の厚さの支持体８を意味する。本発明によれば画像受容層は例えば米国特許第４６９５２８６号；４７４０７９７号；４７７５６５７号；４９６２０８１号に記載されるようなポリマーを含み、これらの記載は参考として引用する。好ましくは画像受容層は２００゜Ｃ以上のガラス転移点を有するポリカーボネートを含む。代替的に４，４’−（ヘキサハイドロ−４，７−メタノインダン−５−イリデン）−ビスフェノールのようなメチレン置換されたビスフェノールＡからのポリカーボネート誘導体が用いられる。約０．２５から約５ｍｇ／ｍ2 の範囲で良い結果が得られた。
【００１４】
画像受容層が薄く硬い支持体８の表面９上で形成された後に画素セル４上の所望のカラー化されたパターンに対応する色素の繰り返しパターンは画像受容層に転写される。色素（ｃｏｌｏｒａｎｔ）は顔料（ｐｉｇｍｒｎｔ）、染料（ｄｙｅ）、又は光のある波長の干渉による打ち消しの性質により着色される二色性の層を含む。好ましくは色素は染料であり、それは以下により詳細に記載される。黒いグリッドライン６はそれにより本発明のカラーフィルタ配列要素２を形成するよう配置される。
【００１５】
カラーフィルタ配列要素２が薄く硬い支持体８の表面９上に形成された後にカラーフィルタ配列要素２は実質的に薄く硬い支持体８と同じ熱膨張特性を有する硬く透明な支持体１０にラミネートされる。カラーフィルタ配列要素２は熱と圧力により又は選択的な接着層１２により硬く透明な支持体１０にラミネートされる。接着層１２が用いられた場合には気泡が画像を歪ませるように接着剤層１２に残っていてはならないことは重要である。
【００１６】
本発明による薄く硬い支持体８及び硬い透明な支持体１０の両方は硼珪酸ガラス及び石英のようなイオン濃度の低いガラスであることが好ましい。好ましくは硼珪酸ガラスが用いられる。
本発明の実施例は２つの構成を含む。一つの構成では図２に示されるように薄く硬い支持体８の表面上に形成されるカラーフィルタ配列要素２は硬い透明な支持体１０と接触するように配置され、接着剤層１２は遠心分離により気泡を除かれた液体エポキシ接着剤が硬い透明な支持体１０とカラーフィルタ配列要素２との間の空気ギャップに浸透するように用いられる。毛細管現象の力により液体接着剤は硬い透明な支持体１０とカラーフィルタ配列要素２との間の空間全体に満たされ、接着剤が空間にわたって動くことにより空気を排除する。接着剤層１２はラミネーション前に硬い透明な支持体１０又はカラーフィルタ配列要素２のいずれか上にまず配置される。製造は次にエポキシ接着剤を熱硬化する。図２に示される構成ではカラーフィルタ配列要素２は硬い透明な支持体１０上で面と面とがラミネートされる。故にカラーフィルタ配列要素２の調製はクリーンルーム環境の外でなされうる。
【００１７】
図３を参照するに本発明の他の構成が示され、ここでその上でカラーフィルタ配列要素２が形成される表面９と対向する薄く硬い支持体８の表面１１は硬い透明な支持体１０と接触するように配置される。カラーフィルタ配列要素２は本発明の上記の第一の構成と同様に接着剤層１２は遠心分離により気泡を除かれた液体エポキシ接着剤が硬い透明な支持体１０とカラーフィルタ配列要素２との間の空気ギャップに浸透させるように接着剤層１２により硬く透明な支持体１０にラミネートされる。
【００１８】
当業者には良く知られているが以下で参考として引用する米国特許第５２１８３８０号に記載されているように、色素ドナーシートからの色素は図示されない熱プリンタ組立体により薄く硬い支持体８上の画像受容層に熱的に転写されうる。その組立体は熱プリンタヘッドとドラムのような回転プラテン（ｐｌａｔｅｎ）を含む。熱プリンタヘッドは色素ドナーシートを照射するのに用いられるレーザーを含む。薄く硬い支持体８上の画像受容層及び色素ドナーシートは回転ドラムと熱プリンタヘッドを相互に圧迫する。
【００１９】
本発明の好ましい実施例では色素はレーザーにより薄く硬い支持体８上の画像受容層に転写される。色素ドナーシートはその上に色素層及びレーザーの波長に対する吸収材料を有する。ドラムが回転するときにレーザーは色素ドナーシートを照射する。レーザーエネルギーの吸収は色素を昇華させ、画像受容層に転写させる。本発明により薄く硬い支持体８はレーザーでプリントするために垂直面内でドラムの周りに巻くことができるほど充分柔軟でなければならないが、集積された電子部品に対する類似の熱膨張特性を有するように水平面内で充分硬くなければならない。
【００２０】
上記のレーザーエネルギーを吸収するどのような材料でも吸収材料として用いることができ、例えば当業者に良く知られたカーボンブラック、不揮発性赤外吸収染料、又は顔料である。好ましくはシアニン赤外吸収染料が米国特許第４９７３５７２号に記載されるように用いられ、その記載はここに参考として引用する。
【００２１】
放射の強度は充分高く、照射の時間は組立体の加熱が画素セル４のカラー化されたパターン内の付随する顕著な寸法変化をもたらすことのないように充分短くなければならない。好ましくはレーザーによる照射の時間は１ナノ秒から２５ミリ秒である。好ましい照射の強度は平方マイクロメートル当たり１０ワットから平方マイクロメートル当たり１０-7ワットまでである。
【００２２】
レーザー光の他の種々の方法が本発明のカラーフィルタ配列要素２を形成するために色素を色素ドナーシートから薄く硬い支持体８上の画像受容層に転写するのに用いられる。例えばキセノン充填フラッシュランプからの高強度光フラッシュはエネルギー吸収材料を含む色素ドナーシートと共に用いられる。高強度光の吸収は色素に色素ドナーシートから画像受容層への転写を引き起こさせる。この方法はより詳細には米国特許第４９２３８６０号に記載され、その記載はここに参考として引用する。
【００２３】
色素はまた例えばインクジェットプリンタにより、抵抗性ヘッドによる色素ドナーシートを加熱することにより、又は電子写真により画像受容層の画像受容表面に転写される。電子写真方法は米国特許第４６８６１６３号により詳細に開示され、この開示はここに参考として引用される。
本発明の実施例ではカラーフィルタ配列要素２は加色混合の三原色である赤、緑、青の組、即ち赤、緑、青画素セル４の繰り返しを有するモザイクパターンを含む。モザイクパターンは好ましくは写真画像用に用いられる。画素セル４は黒いグリッドライン６により相互に分離される。色素のモザイクパターンはカラーフィルタ配列要素２を形成するために以下のような一つのカラー対角線変位を有する正方形又は長方形のいずれかでありうる均一で線形な繰り返し領域（約１００ミクロン）を含む：
【００２４】
【化１】
0004077528.tif 000002
【００２５】
本発明の他の実施例ではカラーフィルタ配列要素２は加色混合の三原色である赤、緑、青の組、即ち赤、緑、青画素セル４の繰り返しを表す組を含む細片のパターンを含む。繰り返し細片のパターンは好ましくはコンピュータモニタ用に用いられる。画素セル４は黒いグリッドライン６により相互に分離される。色素の繰り返しストライプはカラーフィルタ配列要素２を形成するために以下のようなカラー変位を有さない正方形又は長方形の均一で線形の繰り返し領域を含む：
【００２６】
【化２】
0004077528.tif 000003
【００２７】
モザイクの組及び細片の組では組の大きさは観察距離に依存し、別々の画素が観察距離で見えないように選択される。一般的にはモザイクの組のそれぞれの画素は約５０から約６００ミクロンであり、同じ大きさである必要はない。
本発明によりカラーフィルタ配列要素２を形成するために用いられる色素は強い光の作用により薄く硬い支持体８上の画像受容層に転写可能なように供されるどのような染料又は染料の混合物をも含みうる。昇華可能な染料で特によい結果が得られた。昇華可能な染料の例は例えばＳｕｍｉｋａｌｏｎ  Ｖｉｏｌｅｔ  ＲＳ（登録商標）（住友化学社）；Ｄｉａｎｉｘ  Ｆａｓｔ  Ｖｉｏｌｅｔ  ３Ｒ−ＦＳ（登録商標）（三菱化成社）；Ｋａｙａｌｏｎ  Ｐｏｌｙｏｌ  Ｂｒｉｌｌｉａｎｔ  Ｂｌｕｅ  Ｎ−ＢＧＭ（登録商標）；Ｋａｙａｌｏｎ  Ｐｏｌｙｏｌ  Ｄａｒｋ  Ｂｌｕｅ  ２ＢＭ（登録商標）；ＫＳＴ  Ｂｌａｃｋ  ＫＲ（登録商標）（日本化薬社）；Ｓｕｍｉｃｋａｒｏｎ  Ｄｉａｚｏ  Ｂｌａｃｋ  ５Ｇ（三井東圧化学社）のようなアントラキノン染料；Ｄｉｒｅｃｔ  ＤａｒｋＧｒｅｅｎ  Ｂ（登録商標）（三菱化成社）；Ｄｉｒｅｃｔ  Ｂｒｏｗｎ  Ｍ．（登録商標）、Ｄｉｒｅｃｔ  Ｆａｓｔ  Ｂｌａｃｋ  Ｄ（登録商標）（日本化薬社）；のような直接（ｄｉｒｅｃｔ）染料，Ｋａｙａｎｏｌ  Ｍｉｌｌｉｎｇ  Ｃｙａｎｉｎｅ  ５Ｒ（登録商標）（日本化薬社）；のような酸性染料，Ｓｕｍｉｃａｃｒｙｌ  Ｂｌｕｅ  ６Ｇ（登録商標）（住友化学社）；ＡｉｚｅｎＭａｌａｃｈｉｔｅ  Ｇｒｅｅｎ（登録商標）（Ｈｏｄｏｇａｙａ化学社）；のような基本的な染料、または米国特許第４５４１８３０，４６９８６５１，４６９５２８７，４７０１４３９，４７５７０４６，４７４３５８２，４７６９３６０，４７５３９２２号のいずれかに含まれるものを含み、それらの記載はここに参考として引用する。
【００２８】
適切な染料は以下の構造式により示される：
【００２９】
【化３】
0004077528.tif 000004
【００３０】
上記減色混合色素は米国特許第４９５７８９８、４９７５４１０、４９８８６６５号に記載されるような所望の赤、青、緑の加色混合の原色を得るために種々の組合せで用いられ、これらの記載はここに参考として引用する。染料は染料層内で混合され、又は別の染料層内に塗布される場合には順次転写され、約０．０５から約１ｇ／ｍ２の範囲で用いられる。
【００３１】
本発明により調製されたカラーフィルタ配列要素は検電器（ｅｌｅｃｔｒｏｓｃｏｐｅ）光バルブ又は液晶表示装置のような画像センサ又は種々の電気光デバイスで用いられる。その様な液晶表示装置は例えばイギリス国特許第２１５４３５５、２１３０７８１、２１６２６７４、２１６１９７１号に記載される。
図４を参照するに、液晶表示装置で用いられるカラーフィルタ配列要素２が示され、ここでカラーフィルタ配列要素２は硬い透明な支持体１０に面と面でラミネートされる。カラーフィルタ配列要素２の形成に先立ち、その上にカラーフィルタ配列要素２が形成される表面９に対向する薄く硬い支持体８の表面１１は透明導電性層１４を最初に塗布される。透明導電性層１４は好ましくはカラーフィルタ配列要素２を劣化させることのない２００゜Ｃ以上２６０゜Ｃ以下の温度で熱硬化される。カラーフィルタ配列要素２は次に本発明により薄く硬い支持体８上に形成され、これはその後で硬い透明な支持体１０と面と面でラミネートされる。その後で薄く硬い支持体８の表面１１はポリマー化されたアラインメント層１６を塗布される。
【００３２】
透明導電性層１４は液晶技術での従来技術である。透明導電性層１４用の材料はインジウム錫酸化物、インジウム酸化物、錫酸化物、カドミウム錫酸塩を含む。ポリマー化されたアラインメント層１６はポリアミド、ポリビニルアルコール、メチルセルロースを含む液晶技術で通常用いられる材料のいずれでも良い。
図５を参照するに液晶表示装置で使用するカラーフィルタ配列要素２が示され、ここでその上に形成されたカラーフィルタ配列要素２の表面９に対向する薄く硬い支持体８の表面１１は硬く透明な支持体１０と接触するように配置される。カラーフィルタ配列要素２は液晶技術で通常であるようにポリマー化された保護層１８を最初に塗布される。その後でカラーフィルタ配列要素２は透明導電性層１４を塗布され、次にポリマー化されたアラインメント層１６を塗布される。カラーフィルタ配列要素２は硬く透明な支持体１０にラミネートされる前又は後のいずれかでポリマー化された保護層１８、透明導電性層１４、ポリマー化アラインメント層１６を塗布される。
【００３３】
【実施例】
本発明により調製されたカラーフィルタ配列要素は以下に記載される。
４インチ平方、厚さ０．００５インチの薄く堅いガラス（コーニング０２１１ガラス）はアニソール中の１０％の４，４’−（ヘキサハイドロ−４，７−メタノインダン−５−イリデン）ビスフェノールポリカーボネート溶液を２０００ｒｐｍでスピンコートされ、回転中に乾燥された。薄く堅いガラス支持体は５２７ｍｍの円周のドラムの周りに巻き付けられ、テープでドラムに対して保持される。色素ドナーシートは薄く堅いガラス支持体上にテープに巻かれる。色素ドナーシートはその記載をここに参考として引用する米国特許第４９５７８９８号の黄色染料Ａ０．２２ｇ／ｍ２と；その記載をここに参考として引用する米国特許第４９４７８９８号のマゼンタ染料Ｉ０．２６ｇ／ｍ２と；０．２５ｇ／ｍ２のＲａｖｅｎ１２５５（登録商標）カーボンと、０．２０ｇ／ｍ２のセルロースアセテートプロピオネート（２．５％アセチル、４６％プロピオニル）と；０．００８ｇ／ｍ２Ｆｌｕｏｒａｄ  ＦＣ−４３１（登録商標）蛍光界面活性剤（３Ｍ社の商品）とを含む混合物を上に塗布されたポリエチレンテレフタレートの３５ミクロン厚さのフィルムからなる。レーザービームへの電流はカラー画素の所望のパターンにより変調された。染料画像はアニソール蒸気の満たされたコンテナ内に薄く堅いガラス支持体を５分間置くことによりポリカーボネート層内に拡散された。次に薄く堅いガラス支持体上の染料画像はそれによりカラーフィルタ配列要素を形成するようにスキージにより５  Ｍｉｎｕｔｅ  Ｅｐｏｘｙ（Ｄｅｖｃｏｎ社）を均一に塗布された０．００４３インチの厚さの５インチ平方のボロシリケートガラス（コーニング社７０５９Ｆ）に均一な圧力を加えてラミネートされた。
【００３４】
本発明はその好ましい実施例を特に参照して詳細に説明されてきたが、変更及び改良は本発明の精神及び範囲内で有効である。
【００３５】
【発明の効果】
本発明によるカラーフィルタ配列要素は種々の温度範囲で実質的に同じ寸法を維持するカラーフィルタ配列要素を製造する方法を提供する。
本発明によるカラーフィルタ配列要素は好ましい上昇された温度と延長された硬化時間での透明電極の熱硬化を提供する。
【００３６】
本発明によるカラーフィルタ配列要素はソフトウエアによるカラーフィルタパターンの制御及び染料ドナーマスクの必要をなくしたことにより減少された製造コスト、増加された設計の柔軟性、減少された調製時間を提供する。
本発明によるカラーフィルタ配列要素は清潔で、平坦な表面を有し、電気的短絡及び画素欠落を引き起こすダストの小片又は突出のないカラーフィルタ配列要素を提供する。
【００３７】
本発明によるカラーフィルタ配列要素は解像度の高いカラーフィルタ配列要素を更に提供する。
本発明によるカラーフィルタ配列要素はクリーンルーム環境内で製造される必要がない。
【図面の簡単な説明】
【図１】本発明による薄く硬い支持体上に形成されたカラーフィルタ配列要素の断面図である。
【図２】本発明による薄く硬い支持体上に形成され、硬い透明支持体にラミネートされたカラーフィルタ配列要素の断面図である。
【図３】本発明による薄く硬い支持体上に形成され、硬い透明支持体にラミネートされたカラーフィルタ配列要素の断面図である。
【図４】透明導電性層とポリマー整列層を上に塗布された液晶表示装置で用いられる図２のカラーフィルタ配列要素の断面図である。
【図５】ポリマー保護層と透明導電性層とポリマー整列層を上に塗布された液晶表示装置で用いられる図３のカラーフィルタ配列要素の断面図である。
【符号の説明】
２  カラーフィルタ配列要素
４  画素セル
６  黒いグリッドライン
８  薄く硬い支持体
９、１１  表面
１０  硬く透明な支持体
１２  接着剤層
１４  透明導電性層
１６  ポリマー化アラインメント層
１８  ポリマー化保護層
【図１】
0004077528.tif 000005
【図２】
0004077528.tif 000006
【図３】
0004077528.tif 000007
【図４】
0004077528.tif 000008
【図５】
0004077528.tif 000009